(57)【特許請求の範囲】
【請求項１】
無端の送りコンベアに農作物を保持して搬送する保持台を所定間隔をおいて複数設け、送りコンベアの所定位置の上方に刃物を昇降自在に設け、刃物の下方に保持台が到来したときに刃物を送りコンベアの搬送方向に移動しながら下降させて保持台上の農作物を切断し切断後上昇させる昇降手段を設けるとともに、前記保持台として、複数本の細長い棒材を下降する刃物が棒材間を通過できるように所定間隔をおいて放射状に立設し、各棒材の途中から上部をそれぞれ中心に向けて下方に傾斜するように折曲して農作物を中央部に保持できる凹所を形成した構成のものとし、前記昇降手段として、一端を支点として回転する一対のアームを設け、同一対のアームの一方もしくは双方を送りコンベアと連動して回動させるようにし、同一対のアームの他端に水平板の両端をそれぞれ枢着し、同水平板に刃物を下方に垂設した構造とし、しかも同昇降手段の水平板に一対の小アームの一端をそれぞれ枢着し、同一対の小アームの他端に下部に刃物を設けた刃物吊設体を水平を保持するように枢着し、同刃物吊設体に刃物の昇降時に送りコンベアの保持台近傍の部材に掛止する掛止棒を設けて同掛止棒で送りコンベアの動きに正確に同期して刃物を移動しながら刃物を昇降させるようにする同期手段を形成し、農作物を送りコンベアで搬送しながら連続的に切断できるようにした農作物連続切断装置。
【請求項２】
送りコンベアに保持台を複列に設け、昇降手段を他の列のものと共通にし、同昇降手段で前記複列の保持台に対応する複数の刃物を同時に昇降できるようにした請求項１記載の農作物連続切断装置。
【請求項３】
複列の保持台に対応する複数の刃物をそれぞれ連結して共通の昇降手段で昇降できるようにした請求項２記載の農作物連続切断装置。
【請求項４】
連結した刃物の農作物を切断する部分がそれぞれ異なる形状である請求項３記載の農作物連続切断装置。
【請求項５】
刃物が昇降手段に脱着自在に取り付けたものである請求項１〜４いずれか記載の農作物連続切断装置。
【請求項６】
刃物の刃面に隆起を部分的に形成し、切断後に刃面と農作物の切断面が離れ易くした請求項１〜５いずれか記載の農作物連続切断装置。
【請求項７】
棒材の折曲角度が異なる複数の保持台を送りコンベアの幅方向に並設し、大きさや形状の異なる複数の農作物を同時に切断できるようにした請求項１〜６いずれか記載の農作物連続切断装置。
【請求項８】
送りコンベアが、所定間隔を隔てた複数のスラットで搬送面を構成し、同スラットの上面に保持台をそれぞれ設け、前記スラットの隣り合う前後端同士をスラットと略同じ幅で且つスラット間の間隔より長めの弾性材で連結し、農作物がスラット間の隙間から落下しないようにしたものである請求項１〜７いずれか記載の農作物連続切断装置。
【発明の詳細な説明】
【０００１】
【発明の属する技術分野】
本発明は、主として馬鈴薯等の芋類を芽が残るように小さく切断して栽培用の種芋を連続的に得る農作物連続切断装置に関する。
【０００２】
【従来の技術】
従来、馬鈴薯等の芋類の栽培においては、種子として通常の大きさに生育した種芋を所定の大きさに切断して畑に植える農法が確立しており、農家は植え付け時期になると、一個一個種芋を包丁等の刃物を使用して手作業で切断している。
ところで、種芋には発芽する芽が頭上から発芽し易い順序で一番芽，二番芽という具合に螺旋状に配置されているので、切断後の種芋には必ず発芽に優位な芽が残るように確認しながら切断する必要がある。また、種芋は高価であるから、経済的効果を考慮して二つ切りや四つ切りなど種芋の大きさや芽の数に応じて異なる切り方をする必要もある。
したがって、このような切断を手作業で行うのは膨大な労力を要し、連続的に効率良く切断できる装置が早急に求められている。
【０００３】
【発明が解決しようとする課題】
本発明が解決しようとする課題は、従来のこれらの問題点を解消し、馬鈴薯等の芋類を栽培用の種芋に切断する作業を手作業に代わって連続的に効率良く行えるようにした農作物連続切断装置を提供することにある。
【０００４】
【課題を解決するための手段】
かかる課題を解決した本発明の構成は、
１）  無端の送りコンベアに農作物を保持して搬送する保持台を所定間隔をおいて複数設け、送りコンベアの所定位置の上方に刃物を昇降自在に設け、刃物の下方に保持台が到来したときに刃物を送りコンベアの搬送方向に移動しながら下降させて保持台上の農作物を切断し切断後上昇させる昇降手段を設けるとともに、前記保持台として、複数本の細長い棒材を下降する刃物が棒材間を通過できるように所定間隔をおいて放射状に立設し、各棒材の途中から上部をそれぞれ中心に向けて下方に傾斜するように折曲して農作物を中央部に保持できる凹所を形成した構成のものとし、前記昇降手段として、一端を支点として回転する一対のアームを設け、同一対のアームの一方もしくは双方を送りコンベアと連動して回動させるようにし、同一対のアームの他端に水平板の両端をそれぞれ枢着し、同水平板に刃物を下方に垂設した構造とし、しかも同昇降手段の水平板に一対の小アームの一端をそれぞれ枢着し、同一対の小アームの他端に下部に刃物を設けた刃物吊設体を水平を保持するように枢着し、同刃物吊設体に刃物の昇降時に送りコンベアの保持台近傍の部材に掛止する掛止棒を設けて同掛止棒で送りコンベアの動きに正確に同期して刃物を移動しながら刃物を昇降させるようにする同期手段を形成し、農作物を送りコンベアで搬送しながら連続的に切断できるようにした農作物連続切断装置
２）  送りコンベアに保持台を複列に設け、昇降手段を他の列のものと共通にし、同昇降手段で前記複列の保持台に対応する複数の刃物を同時に昇降できるようにした前記１）記載の農作物連続切断装置
３）  複列の保持台に対応する複数の刃物をそれぞれ連結して共通の昇降手段で昇降できるようにした前記２）記載の農作物連続切断装置
４）  連結した刃物の農作物を切断する部分がそれぞれ異なる形状である前記３）記載の農作物連続切断装置
５）  刃物が昇降手段に脱着自在に取り付けたものである前記１）〜４）いずれか記載の農作物連続切断装置
６）  刃物の刃面に隆起を部分的に形成し、切断後に刃面と農作物の切断面が離れ易くした前記１）〜５）いずれか記載の農作物連続切断装置
７）  棒材の折曲角度が異なる複数の保持台を送りコンベアの幅方向に並設し、大きさや形状の異なる複数の農作物を同時に切断できるようにした前記１）〜６）いずれか記載の農作物連続切断装置
８）  送りコンベアが、所定間隔を隔てた複数のスラットで搬送面を構成し、同スラットの上面に保持台をそれぞれ設け、前記スラットの隣り合う前後端同士をスラットと略同じ幅で且つスラット間の間隔より長めの弾性材で連結し、農作物がスラット間の隙間から落下しないようにしたものである前記１）〜７）いずれか記載の農作物連続切断装置
にある。
【０００５】
【作用】
本発明では、農作物を保持台上に載置し、送りコンベアで搬送する。刃物の下方に保持台が到来すると、昇降手段は刃物を送りコンベアの搬送方向に移動しながら下降させて保持台上の農作物を切断する。切断後は刃物を上昇させて下降前の位置に復帰する。
掛止棒を設けているので、刃物の搬送方向の移動速度を送りコンベアの搬送速度と同一にし、送りコンベアの動きとのズレを補正して正確に同期できるようにする。
刃物の刃面に隆起を形成したものは、農作物を刃物で切断後、隆起により刃面と農作物の切断面との間に形成された隙間に空気が進入して密着が防止され、農作物が刃面から容易に離れ易くなる。
【０００６】
【発明の実施の形態】
昇降手段は送りコンベアの幅方向に複数並設した保持台の数だけ設けてもよく、その場合刃物を同時に下降させず交互に下降するように構成すると、回転運動が円滑となり好ましい。
送りコンベアと昇降手段の駆動は一つのモータで行うのが望ましく、モータの出力軸をそれぞれ昇降手段のアームの一端と送りコンベアの駆動車にそれぞれチェーン等で連結して伝達し、送りコンベアと昇降手段が誤差なく同期して作動できるようにする。
本発明の農作物連続切断装置は、下端にキャスターを具備した複数本の支持脚とハンドルを取り付けて移動自在にすることもできる。
【０００７】
【実施例】
以下、本発明の実施例を図面に基づいて具体的に説明する。
図１は、実施例の農作物連続切断装置の側面図である。
図２は、実施例の農作物連続切断装置の後側の説明図である。
図３は、図１の一部を省略したＡ−Ａ断面図である。
図４は、実施例の農作物連続切断装置の送りコンベアの平面図である。
図５は、実施例の昇降手段の説明図である。
図６は、実施例の農作物連続切断装置の使用状態を示す説明図である。
【０００８】
図中、１は農作物連続切断装置である。
２は送りコンベアであって、細長のスラット２ａの両側下部を一定間隔をおいた一対のチェーン２ｄで無端状に連結し、一対のチェーン２ｄを駆動車２ｂ及び従動車２ｃとの間に張り渡し、駆動車２ｂでチェーン２ｄを送ってスラット２ａを動かすようにしている。スラット２ａ間にはゴム等の弾性材２ｅをたわみを持たせるようにそれぞれ取り付けている。駆動車２ｂには送りコンベア２上方のモータの駆動力を駆動チェーン２ｆにより伝達するようにしている。２ｇはモータの対となる従動車である。
３は保持台であって、スラット２ａ上に複数本の細長い棒材３ａを刃物が棒材３ａ間を通過できるように所定間隔をおいて放射状に立設し、各棒材３ａの途中から上部をそれぞれ中心に向けて下方に傾斜するように折曲して農作物を保持できる凹所を形成している。この保持台は、図４に示すようにスラット２ａの片側に交互に異なる大きさのものを２個ずつ配置している。
４は昇降手段であって、送りコンベア２の上方に有する驅体４ｅに一端を支点として回転するアーム４ａを２本設け、同アーム４ａの他端にアーム４ａの回転によって水平を維持した状態で略平行四辺形状に回転できるようにした水平板４ｂを設け、同水平板４ｂの下方に刃物４ｃを設けている。アーム４ａの１本はその一端をモータの出力軸と駆動チェーン４ｆで連結し、送りコンベア２と連動して回転するようにしている。
５は同期手段であって、昇降手段４の水平板４ｂに２本の小アーム５ａの一端を枢着し、各小アーム５ａの他端に刃物４ｃをボルト５ｄにより脱着自在に取り付けた刃物吊設体５ｂを設けている。刃物吊設体５ｂには略Ｌ字状の掛止棒５ｃを送りコンベア２の搬送方向側に設け、掛止棒５ｃがスラット２ａの前端に当接して刃物４ｃが送りコンベア２の動きに正確に同期できるようにしている。
６はモータ、６ａはモータ６の出力軸、７はカバー、８は支持脚、９はキャスター、１０はハンドル、１１は容器、Ｐは農作物である。
【０００９】
また、本実施例では図２，３に示すように送りコンベア２のスラット２ａに取り付けられた複数の保持台３の位置に合わせて左右にそれぞれ刃物４ｃが交互に下降する構造としている。保持台３は農作物Ｐの２つ切り用，４つ切り用にそれぞれ異なる本数と折曲角度の棒材３ａで構成され、刃物４ｃはその保持台３の棒材３ａ間の隙間を下降するように且つ２つ切りと４つ切りが同時にできる断面略十字状の形状としている。
【００１０】
本実施例では、図６（ａ）に示すようにまず人の手で農作物Ｐを芽の位置を確認して保持台３上に載置し、右側から送りコンベア２で搬送されてくる。昇降手段４はモータ６で送りコンベア２と連動するようにアーム４ａを回転させることにより送りコンベア２と同方向に且つ同速度で下降し、刃物４ｃが農作物Ｐを切断し始める。
次に、図６（ｂ）に示すように昇降手段４は最下降位置に達するまで送りコンベア２と同期して全体が回転運動しながら農作物Ｐを完全に切断する。このとき、昇降手段４の掛止棒５ｃは送りコンベア２のスラット２ａの前端に下降途中から接触し、スラット２ａに押圧されながら送りコンベア２と正確に同期して回動，切断する。
次に、図６（ｃ）に示すように昇降手段４は切断後、刃物４ｃが農作物Ｐから離れると共に掛止棒５ｃもスラット２ａから離れて上昇する。
そして、図６（ｄ）に示すように農作物Ｐが左側に搬送されて容器１１に落下し、刃物４ｃは昇降手段４により最上昇位置に移動する。
昇降手段４はそのまま回転運動を継続し、再び下降を開始して順次搬送されてくる農作物Ｐを連続的に切断し、これが一定速度で繰り返されることとなる。
【００１１】
このように、本実施例では、昇降手段が送りコンベアと同方向且つ同速度に回転運動して農作物を連続的に切断するようにしたから、従来行っていた膨大な労力を要する手作業に代わって効率良く楽に且つ短時間に種芋を得ることができる。
【００１２】
図７，８に示すのは、刃物の刃面に隆起を部分的に設けた実施例の農作物連続切断装置の他の例である。
図７は、実施例の他の例の刃物の説明図である。
図８は、実施例の他の例の刃物の平面図である。
図中、４ｄは隆起である。
【００１３】
農作物Ｐが馬鈴薯等の芋類である場合、切断面にはデンプン質及び水分を多く有しており、刃物４ｃの刃面に密着し易い。密着したまま刃物４ｃとともに上昇すると、切断した農作物Ｐを回収できないばかりか次の切断時に農作物Ｐ同士がぶつかり合い無理な力が作用したりしてトラブルが生じる。
実施例の他の例では、刃物４ｃの刃面に隆起４ｄを部分的に形成しているから、切断時に農作物Ｐの切断面と刃物４ｃの刃面との間に隙間が形成されて空気が進入し、密着し難くなる。なお、隆起４ｄは縦方向に形成すると刃物４ｃの上下動が円滑になり好ましい。
その他、符号、構成は実施例と同じである。
【００１４】
【発明の効果】
以上説明したように、本発明によれば馬鈴薯等の芋類を栽培用の種芋に切断する作業を手作業に代わって連続的に効率良く切断できる農作物連続切断装置を提供できる。
【図面の簡単な説明】
【図１】実施例の農作物連続切断装置の側面図である。
【図２】実施例の農作物連続切断装置の後側の説明図である。
【図３】図１の一部を省略したＡ−Ａ断面図である。
【図４】実施例の農作物連続切断装置の送りコンベアの平面図である。
【図５】実施例の昇降手段の説明図である。
【図６】実施例の農作物連続切断装置の使用状態を示す説明図である。
【図７】実施例の他の例の刃物の説明図である。
【図８】実施例の他の例の刃物の平面図である。
【符号の説明】
１  農作物連続切断装置
２  送りコンベア
２ａ  スラット
２ｂ  駆動車
２ｃ  従動車
２ｄ  チェーン
２ｅ  弾性材
２ｆ  駆動チェーン
２ｇ  従動車
３  保持台
３ａ  棒材
４  昇降手段
４ａ  アーム
４ｂ  水平板
４ｃ  刃物
４ｄ  隆起
４ｅ  驅体
４ｆ  駆動チェーン
５  同期手段
５ａ  小アーム
５ｂ  刃物吊設体
５ｃ  掛止棒
５ｄ  ボルト
６  モータ
６ａ  出力軸
７  カバー
８  支持脚
９  キャスター
１０  ハンドル
１１  容器
Ｐ  農作物
【図１】
0004706080.tif 000002
【図２】
0004706080.tif 000003
【図３】
0004706080.tif 000004
【図４】
0004706080.tif 000005
【図５】
0004706080.tif 000006
【図６】
0004706080.tif 000007
【図７】
0004706080.tif 000008
【図８】
0004706080.tif 000009